(57)【要約】【課題】省スペース化を図り、導光板の取付作業を簡単にすること。【解決手段】導光板支持機構は、光源５０１から出射された光を拡散させるための導光板５０２を収容する収容部の外周縁部近傍に形成された取付部４０６を有するハウジング４０１と、取付部４０６に対して導光板５０２の板面に沿った方向にスライド移動されて取り付けられ導光板５０２を収容部に支持固定する支持部材４０７と、を備える。支持部材は４０７、取付部４０６にスライド嵌合されて取り付けられる本体部７１０と、当該本体部７１０から延出し導光板５０２と当接する当接部７０１とを備える。ハウジング４０１に導光板５０２を収容して支持部材４０７をスライド移動させて取り付け、導光板５０２を支持固定することができるため、取付時の作業スペース等を極力少なくすることができ、容易に取付作業をおこなうことができる。【選択図】        図９
2007080718.tif 000002
【特許請求の範囲】
【請求項１】
光源から出射された光を拡散させるための導光板を収容する収容部の外周縁部近傍に形成された取付部を有するハウジングと、
前記取付部に対して前記導光板の板面に沿った方向にスライド移動されて取り付けられ前記導光板をその板厚方向に押さえて前記収容部に支持固定する支持部材と、
を備えることを特徴とする導光板支持機構。
【請求項２】
前記支持部材は、
前記取付部にスライド嵌合されて取り付けられる本体部と、当該本体部から延出し前記導光板と当接する当接部とを備えることを特徴とする請求項１に記載の導光板支持機構。
【請求項３】
前記ハウジングの前記取付部は、縦断面が略Ｔ字状に形成された突条からなり、
前記支持部材の前記本体部は、前記取付部が嵌る形状の空間部からなる嵌合穴を備えることを特徴とする請求項２に記載の導光板支持機構。
【請求項４】
前記支持部材は、
前記取付部への完全取付時に、前記取付部に形成された係止部と係合し、前記本体部と前記取付部とを係止固定する弾性係止片を備えることを特徴とする請求項１〜３のいずれか一つに記載の導光板支持機構。
【請求項５】
光源から出射された光を拡散させるための導光板を収容する収容部の外周縁部近傍に形成された取付部を有するハウジングと、
前記取付部に対して前記導光板の板面に沿った方向にスライド移動されて取り付けられ前記導光板をその板厚方向に押さえて前記収容部に支持固定する支持部材と、
前記導光板によって拡散された光が照射される部分に設けられた原稿保持部と、
前記原稿保持部に載置された原稿からの光を受光し、当該受光した光に基づいて画像情報を生成する受光部と、
を備えることを特徴とする画像読み取り装置。
【発明の詳細な説明】
【技術分野】
【０００１】
この発明は、光を拡散させる導光板を支持する導光板支持機構および画像読み取り装置に関し、特に省スペース化を図りつつ容易に導光板の取付作業をおこなうことができる導光板支持機構および画像読み取り装置に関する。
【背景技術】
【０００２】
原稿カバー内にフィルムスキャンユニットを搭載した画像読み取り装置や液晶パネルを背面から照射する光源を備えた液晶表示装置には、光源から照射された光を所定の領域に導いて拡散照射させるための導光板が設けられている。
【０００３】
従来、これらの装置内において、導光板を位置決め固定し支持する導光板支持機構としては、ハウジング内に光源と導光板とを挿入する方式が知られている。このような方式としては、たとえばハウジングにあらかじめ折り曲げ用として形成されている爪を用いてハウジングに光源を固定し、さらにネジや接着剤等を用いて導光板をハウジングに固定するものがある（たとえば、下記特許文献１参照。）。
【０００４】
また、導光板に特定の突起部を設けるとともに、導光板を設置する部分に特定の孔を設け、導光板に設けた突起部を導光板を設置する部分に設けられた孔に挿入することによって導光板を固定しているものもある（たとえば、下記特許文献２参照。）。さらに、たとえば支持部材を用いて導光板をハウジングに支持固定する方式も知られている。
【０００５】
図１０は、従来の支持部材を示した斜視図である。導光板１００１の一辺１００２近傍において、ハウジング１００３から突出した雌螺子部１００４に支持部材１００５を螺設し、導光板１００１を支持部材１００５側からハウジング１００３側に支持することによって導光板１００１を支持固定している。
【０００６】
【特許文献１】特開平８−３１５６２０号公報
【特許文献２】特開２００４−１８４４９３号公報
【発明の開示】
【発明が解決しようとする課題】
【０００７】
しかしながら、上述した特許文献１に記載された従来の導光板支持機構では、ハウジングにあらかじめ折り曲げ用の爪を形成することや、導光板に特定の突起部を設ける等の処理を施す必要があるため、製造工程数や取付作業の工数等が多くなり、製造コストが増大してしまうという問題がある。
【０００８】
また、図１０に示した従来の導光板支持機構では、支持部材１００５を強固にハウジング１００３に対して固定して、導光板１００１を確実に支持固定するためには、雌螺子部１００４をハウジング１００３からある程度以上の高さをもたせて形成する必要があるため、ハウジング１００３がその高さ方向に大きくなってしまうという問題がある。
【０００９】
この発明は、上述した従来技術による問題点を解消するため、省スペース化を図ることができるとともに、容易に導光板の取付作業をおこなうことができる導光板支持機構および画像読み取り装置を提供することを目的とする。
【課題を解決するための手段】
【００１０】
上述した課題を解決し、目的を達成するため、この発明にかかる導光板支持機構は、光源から出射された光を拡散させるための導光板を収容する収容部の外周縁部近傍に形成された取付部を有するハウジングと、前記取付部に対して前記導光板の板面に沿った方向にスライド移動されて取り付けられ前記導光板を前記収容部に支持固定する支持部材と、を備えることを特徴とする。
【００１１】
この発明によれば、支持部材は、ハウジングに形成された取付部に対して、導光板の板面に沿った方向にスライド移動されることによって取り付けられる。このため、収容部の周辺の形状にあわせて支持部材をスライドさせて取り付けることができるとともに、収容部の周辺における支持部材を取り付けるための高さ方向のスペースを不要とし、取付作業等の種々の制約を緩和することができる。これにより、省スペース化を図りつつ導光板の取付作業を容易にすることが可能となる。
【００１２】
また、この発明にかかる導光板支持機構の前記支持部材は、上記に記載の発明において前記取付部にスライド嵌合されて取り付けられる本体部と、当該本体部から延出し前記導光板と当接する当接部とを備えることを特徴とする。
【００１３】
この発明によれば、支持部材は、本体部が取付部にスライド嵌合されることによって取り付けられるため、従来の螺子止めによって導光板を支持する場合と比較して、取付時の作業スペースや取付スペースを極力少なくすることができる。
【００１４】
また、この発明にかかる導光板支持機構の前記ハウジングの前記取付部は、上記に記載の発明において縦断面が略Ｔ字状に形成された突条からなり、前記支持部材の前記本体部は、前記取付部が嵌る形状の空間部からなる嵌合穴を備えることを特徴とする。
【００１５】
この発明によれば、ハウジングの取付部と支持部材の本体部とを、略Ｔ字状の突条が嵌合穴に嵌るように完全嵌合させることができる。これにより、支持部材の取付作業を容易にすることができるとともに、支持部材の取付部への取付状態を保つことが可能となる。
【００１６】
また、この発明にかかる導光板支持機構の前記支持部材は、上記に記載の発明において前記取付部への完全取付時に、前記取付部に形成された係止部と係合し、前記本体部と前記取付部とを係止固定する弾性係止片を備えることを特徴とする。
【００１７】
この発明によれば、支持部材が弾性係止片を備えるため、支持部材の取付部への完全嵌合時に、本体部と取付部とを係止固定することによって本体部の取付部からの外れ等を防止し、導光板のハウジングへの取付状態を安定的に維持することができる。
【００１８】
また、この発明にかかる画像読み取り装置は、光源から出射された光を拡散させるための導光板を収容する収容部の外周縁部近傍に形成された取付部を有するハウジングと、前記取付部に対して前記導光板の板面に沿った方向にスライド移動されて取り付けられ前記導光板をその板厚方向に押さえて前記収容部に支持固定する支持部材と、前記導光板によって拡散された光が照射される部分に設けられた原稿保持部と、前記原稿保持部に載置された原稿からの光を受光し、当該受光した光に基づいて画像情報を生成する受光部と、を備えることを特徴とする。
【００１９】
この発明によれば、スライド移動によってハウジングに取り付けられる支持部材により導光板をハウジングに支持固定することができるため、ハウジング内部のスペースの省スペース化を図り、画像読み取り装置全体の筐体の小型化を図ることが可能となる。
【発明を実施するための最良の形態】
【００２０】
以下に添付図面を参照して、この発明にかかる導光板保持機構および画像読み取り装置の好適な実施の形態を詳細に説明する。まず、この発明の実施の形態にかかる導光板支持機構および画像読み取り装置を備えた複合機１００の全体構成について図１、図２および図３を用いて説明する。
【００２１】
図１は、この発明の実施の形態にかかる複合機の外観を示す斜視図である。また、図２は、図１に示す複合機の側断面図である。また、図３は、図１に示す複合機に備えられたプリンタケースに収容されるＡＳＦ（オートシートフィーダ）ユニットおよび印刷機構部の側断面図である。
【００２２】
図１に示すように、複合機１００は、上部にスキャナ部１１０と、下部にプリンタ部１２０と、正面側に操作パネル１５０とを備えて構成されている。スキャナ部１１０は、原稿に記載された図形、テキスト、写真等のデータを読み取り、それぞれのデータに対応する形式の電子データを生成する。図２に示すように、スキャナ部１１０は、スキャナケース１１１と、原稿カバー１１２と、原稿台１１３と、スキャナキャリッジ１１４と、キャリッジガイド１１５とを備えて構成されている。
【００２３】
スキャナケース１１１は、上部が開口した箱形に形成され、内部に原稿に記載されたデータを読み取るための各部材が格納される。スキャナケース１１１は、背面側に形成されたヒンジによって開閉可能にプリンタケース１２１に連結されている。原稿カバー１１２は、原稿台１１３に載置された原稿を上方から覆うようにして、原稿台１１３に対して押さえつける。原稿カバー１１２には、原稿を押さえつける部分に、原稿台１１３とほぼ同じ大きさの板状の保護マットが備えられている。原稿カバー１１２は、背面側に形成されたヒンジによって開閉可能にスキャナケース１１１に連結されている。
【００２４】
原稿台１１３は、透明なガラス材等からなる板状部材によって構成されており、スキャナケース１１１の上部に形成された開口部を閉塞するように固定されている。原稿台１１３には、ユーザによって、電子データ化するためのデータが記載された原稿が載置される。スキャナキャリッジ１１４は、画像を読み取るための各部材を内部に格納しており、スキャナケース１１１の内部に収容されている。スキャナキャリッジ１１４は、スキャナ部１１０に設けられたモータによって駆動されるベルトに係合されており、モータの回転に伴って、ベルトを介してキャリッジガイド１１５に支持されながら副走査方向に往復移動する。
【００２５】
スキャナキャリッジ１１４の内部には、リニアイメージセンサを実装した走査回路基板と、レンズと、ミラーと、光源とが搭載されている。光源は、蛍光管ランプ等によって構成されており、原稿に対して光を照射する。ミラーおよびレンズは、光源によって照射された光の原稿からの反射光や透過光を光学像としてリニアイメージセンサの受光面に結像させる。
【００２６】
リニアイメージセンサは、フォトダイオード等の受光素子が主走査方向に直線状に並ぶ姿勢で走査回路基板に搭載されている。リニアイメージセンサは、受光面に結像された光学像を光電変換して、受光素子ごとの受光量に応じた電気信号を出力する。キャリッジガイド１１５は、スキャナケース１１１に固定された棒状の部材であり、スキャナキャリッジ１１４を副走査方向に摺動自在に支持する。
【００２７】
プリンタ部１２０は、複合機１００とネットワークを介して接続されたＰＣ（パーソナルコンピュータ）等から送信された電子データに対応するデータを用紙に印刷する。プリンタ部１２０は、プリンタケース１２１と、ＡＳＦユニット１３０と、後述する印刷機構部１４０とによって構成されている。プリンタケース１２１は、上部が開口した箱形に形成され、データを用紙に印刷するための各部材が内部に格納されている。
【００２８】
プリンタケース１２１の上方には、背面側に形成されたヒンジによってスキャナケース１１１が開閉可能に連結されている。プリンタケース１２１の上部には、開口部１２１Ａが形成されており、スキャナケース１１１を上方に開放させることによって、開口部１２１Ａを露出させ、プリンタケース１２１の内部に格納された各部材をメンテナンスすることができる。
【００２９】
ＡＳＦユニット１３０は、給紙口１３０Ａの近傍に設けられ、給紙ローラ１３１と、紙支持板１３２と、給紙板１３３と、給紙口カバー１３４とによって構成されている。給紙ローラ１３１は、給紙口１３０Ａの近傍において給紙方向に回転可能にプリンタケース１２１に軸支されている。給紙ローラ１３１は、ＡＳＦユニット１３０に設けられたモータ、または図示しないモータなどによって、給紙板１３３により押し出された用紙を給紙口１３０Ａからプリンタケース１２１の内部に引き込み、後述する印刷ヘッド１４４とプラテン１４５との間に搬送する。
【００３０】
紙支持板１３２は、給紙板１３３の上方に形成された板状の部材であり、紙支持板１３２の下端に形成されたヒンジによって給紙板１３３の上端に開閉可能に連結されている。紙支持板１３２は、図２に示すように、給紙する時には、前面が開放された状態で、給紙板１３３の前面の傾斜角度と紙支持板１３２の前面の傾斜角度とが一致する位置に係止される。紙支持板１３２は、前面に平面が形成されており、この平面によって、第一支持部１３３Ｂに下端を支持された用紙束１２２の背面を支持する。
【００３１】
紙支持板１３２は、給紙しない時には、紙支持板１３２の下端に形成されたヒンジを軸にして、複合機１００の正面側に向かって折り畳むことができる。このように折り畳まれた紙支持板１３２は、紙支持板１３２の上方の前面が、原稿カバー１１２と当接することによって係止され、これによって、給紙口１３０Ａにつながる空間が閉塞される。給紙板１３３は、用紙束１２２を給紙口１３０Ａに供給できる位置に設けられた板状の部材であり、用紙束１２２を保持する。給紙板１３３は、側壁部１３３Ａと、第一支持部１３３Ｂとを備えて構成されている。
【００３２】
給紙板１３３は、上端に設けられた揺動軸が側壁部１３３Ａに軸受けされている、板状の部材である。側壁部１３３Ａは、給紙板１３３の両外側に平行に設けられている平面であり、少なくとも一方に対して用紙束１２２が寄せられる。これによって、待機位置における用紙束１２２の幅方向の位置決めを行う。第一支持部１３３Ｂは、給紙板１３３の下方に設けられている平面であり、用紙束１２２の下端を支持する。これによって、待機位置における用紙束１２２の長さ方向の位置決めを行う。給紙板１３３は、モータの回転に伴って揺動し、第一支持部１３３Ｂおよび側壁部１３３Ａに支持された用紙束１２２の下端を給紙口１３０Ａ側に押し出すことによって、給紙口１３０Ａに用紙を滑り落とす。
【００３３】
図３に示すように、印刷機構部１４０は、プリンタキャリッジ１４１、インクカートリッジ１４２、ガイドロッド１４３、印刷ヘッド１４４、プラテン１４５、排紙ローラ１４６、スタッカ１４７等によって構成されている。プリンタキャリッジ１４１は、内部にインクカートリッジ１４２を脱着自在に格納する。プリンタキャリッジ１４１は、印刷機構部１４０に設けられたモータによって駆動されるベルトに係合されており、モータの回転に伴って、ベルトを介してガイドロッド１４３に支持されながらガイドロッド１４３の軸方向に往復移動する。
【００３４】
インクカートリッジ１４２は、各色のインクが貯蔵された容器であり、プリンタキャリッジ１４１に脱着自在に格納される。インクカートリッジ１４２に貯蔵されたインクは、インク通路を通じて、印刷ヘッド１４４のノズルに供給される。ガイドロッド１４３は、プリンタケース１２１に固定された棒状の部材であり、プリンタキャリッジ１４１を複合機１００の横幅方向に摺動自在に支持する。
【００３５】
印刷ヘッド１４４は、プリンタキャリッジ１４１の下方に設けられ、インクジェット方式によりインクカートリッジ１４２から供給されたインクを用紙に定着させる。印刷ヘッド１４４には、インクを吐出するノズル、インク通路等が備えられている。印刷ヘッド１４４はプリンタキャリッジ１４１とともにガイドロッド１４３の軸方向に往復運動する。なお、本実施の形態においてはインクジェット方式の印刷手段を用いているが、レーザ方式、昇華方式、インパクト方式等を用いてもよい。
【００３６】
プラテン１４５は、印刷ヘッド１４４の下方に位置し、上方に平面を有する棒状の部材であり、プリンタケース１２１に固定されている。プラテン１４５の上方に形成された平面は、印刷用紙に摺接し、印刷ヘッド１４４から下方にわずかに離れた位置に印刷用紙を位置決めする。排紙ローラ１４６は、排紙口１４０Ａの近傍において排紙方向に回転可能に設けられている。排紙ローラ１４６は、印刷機構部１４０に設けられたモータ等の駆動により回転することによって、印刷が行われた用紙を引き出し、排紙口１４０Ａからプリンタケース１２１の外部に排出する。排紙ローラ１４６によってプリンタケース１２１の外部に排出された用紙は、プリンタケース１２１に揺動自在に支持されたスタッカ１４７の上面に堆積される。
【００３７】
操作パネル１５０は、プリンタケース１２１の正面側に設けられており、ユーザによって操作されることによって、複合機１００に対する画像読み取り処理、印刷処理等の各種の処理要求を受け付ける。操作パネル１５０には、液晶パネル１５１、複数の押しボタン１５２等が設けられている。液晶パネル１５１には、設定メニュー、操作メニュー、処理状況等が表示される。ユーザは処理要求に応じた押しボタン１５２を押すことによって、複合機１００に対して処理を要求する。次に、原稿カバー１１２について詳細に説明する。
【００３８】
図４は、原稿カバーの外蓋を外した状態を示す外観斜視図である。原稿カバー１１２は、ハウジング４０１と導光板ユニット４０２とを備えている。ハウジング４０１内には、導光板ユニット４０２を収容するための空間が設けられている。この収容空間は、導光板ユニット４０２の短手方向の端部を支持するための囲い板４０３と、導光板ユニット４０２の長手方向の両端部を支持するための２つの囲い板４０４とハウジング４０１の内壁４１２とによって構成されている。
【００３９】
また、導光板ユニット４０２の短手方向の端部を支持するための囲い板４０３には、導光板ユニット４０２と係合させるためのＬ字型のフック４０５が、たとえば４つ設けられている。ハウジング４０１の内壁４１２近傍には、たとえば２つの取付部４０６がハウジング４０２上に一体的に形成されている。２つの取付部４０６は、導光板ユニット４０２の収容空間における囲い板４０３と対向する側の辺の近傍において、導光板ユニット４０２を支持部材４０７によって均等に支持できる位置に配置されている。
【００４０】
導光板ユニット４０２は、囲い板４０３と囲い板４０４とハウジング４０２の内壁４１２とによって形成される空間に収容され、支持部材４０７を取付部４０６に取り付けることによって、導光板ユニット４０２の板厚方向に対する動きを支持している。ここで、導光板ユニット４０２において、囲い板４０３と接する辺を辺４１０とし、辺４１０と対向する辺を辺４１１とする。次に、導光板ユニット４０２について説明する。
【００４１】
図５は、導光板ユニットを示す斜視図である。導光板ユニット４０２は、光源５０１と、導光板５０２と、反射板５０３と、図示しない拡散板と、図示しない保護シートと、を備えている。光源５０１は、光を発光する部材であり、たとえば円柱形状を有する蛍光灯等を用いる。導光板５０２は、光源５０１から発光された光を伝播させ、原稿台１１３（図２参照、以下同じ）側に向けて照射する部材であり、たとえば板状の樹脂部材等によって形成される。
【００４２】
また、導光板５０２は、板厚方向に沿った端面部を、光源５０１の長手方向に沿って、光源５０１に対向させた状態とされている。光源５０１から発光された光は、導光板５０２の端面部から導光板５０２内に入射し、導光板５０２中を伝播して、原稿に対向する面から出射される。
【００４３】
反射板５０３は、光源５０１および導光板５０２から外部へ漏れ出た光を導光板５０２に向けて反射する部材であり、光源５０１および導光板５０２を、原稿台１１３とは反対側から覆うように設けられている。反射板５０３は、導光板５０２において原稿に対向する面を開放するような形状を有しており、これにより、導光板５０２に入射した光を原稿台１１３側の面から出射することができる。反射板５０３は、たとえば、光反射性を有する樹脂等によって形成されている。
【００４４】
また、図示しない拡散板は、導光板５０２から出射された光を拡散して、原稿台１１３側の面から出射する部材であり、たとえば、光拡散性の高い樹脂材料等によって形成されている。拡散板は、導光板５０２において原稿台１１３側の面に設けられており、これにより、導光板５０２から出射された光を拡散板の面内全域に亘って拡散し、均一化した光を原稿台１１３に向けて出射することができる。
【００４５】
次に、上述した導光板ユニット支持機構の詳細な説明をする。図４に戻り、導光板ユニット４０２は、原稿カバー１１２の平面と平行な方向への動きが、ハウジング４０１に形成された囲い板４０３、囲い板４０４、およびハウジング４０２の内壁４１２によって抑止されている。また、原稿カバー１１２の平面と垂直な方向への導光板ユニット４０２の動きは、囲い板４０３に形成された４つのフック４０５と、取付部４０６に係合する支持部材４０７とによって、抑止されている。次に、ハウジング４０１に設けられた取付部４０６の説明をする。
【００４６】
図６は、取付部を拡大して示す斜視図である。取付部４０６は、ハウジング４０２上に形成された矩形の板状の基部６０１と、基部６０１上の概ね片側半分に形成されたＴ字状の係合部６０２と、基部６０１上の係合部６０２と対向する先端近傍に形成された止め部６０３と、を備えている。
【００４７】
係合部６０２は、次の２つの部分から形成されている。１つは、基部６０１の上面から垂直方向に、かつ基部６０１の長手方向と平行な方向に板状に延びて形成された軸部６０４であり、基部６０１の中央部近傍に形成されている。もう１つは、軸部６０４の基部６０１と反対側の端部からそれぞれ基部６０１の長手方向の辺に向かって、基部６０１の上面と平行に延びる板状のアーム部６０５である。ここで、軸部６０４の基部６０１の短手方向と平行な幅の大きさをＭとし、板状のアーム部６０５の板厚方向の高さをＬとし、また、基部６０１上における、係合部６０２の止め部６０３側先端と止め部６０３の係合部６０２側先端との距離をＮとする。
【００４８】
止め部６０３は、基部６０１における係合部６０２と反対側の先端近傍に基部６０１の上面から垂直方向に、かつ基部６０１の短手方向と平行に板状に延びた形状である。この板状の止め部６０３の長手方向の長さは、基部６０１の短手方向の長さと概ね同じ大きさであればよい。また、支持部材４０７（図４参照）を止め部６０３に係合させるときの取付を円滑に行うために、止め部６０３の長手方向両端から基部６０１における係合部６０２と反対側の先端方向に所定の傾きを有したテーパ部６０６が形成されている。このテーパ部６０６は、止め部６０３の強度を増す効果も有する。次に、取付部４０６に係合する支持部材４０７の説明をする。
【００４９】
図７は、支持部材の正面側を拡大して示す斜視図である。また、図８は、支持部材の背面側を拡大して示す斜視図である。支持部材４０７は、図７に示すように外観がＬ字型であり、係合部６０２にスライド嵌合される本体部７１０と、導光板ユニット４０２を支持するための当接部７０１と、弾性部材によって形成された弾性係止片７０２と、によって構成されている。
【００５０】
次に、図８を用いて、支持部材４０７の背面の構造を説明する。当接部７０１は、本体部７１０の一端部から延出する矩形の板状の部材である。当接部７０１の背面片側には、上述した取付部４０６の係合部６０２が挿入される形状の空間部からなる嵌合部７０３が設けられている。嵌合部７０３は、当接部７０１の背面から垂直下方に延びる３つの板状部材によって側面が形成され、１面が開口されるとともに、隣接する側面同士をそれぞれ連結する下面によって形成されている。
【００５１】
側面７０４は、当接部７０１の背面の長手方向先端から垂直下方に、かつ当接部７０４の短手方向と平行に板状に延びた形状である。また、側面７０５は、当接部７０１の背面の長手方向中央に当接部７０４の短手方向と平行に板状に延びた形状である。側面７０６は、側面７０４と側面７０５との同一方向の長手方向端部を結ぶように形成され、側面７０４と側面７０５と同様に当接部７０１の背面から垂直下方に延びた形状である。
【００５２】
それぞれの側面の短手方向の長さＨは、すべて同様であり、取付部４０６に形成されている板状のアーム部６０５の板厚方向の高さＬ（図６参照）に対して少し大きく構成されている。また、箱形の嵌合部７０３の上面は、当接部７０１の背面によって形成されている。さらに、箱形の嵌合部７０３の下面７０７は、取付部４０６の係合部６０２に形成された軸部６０４の幅Ｍ（図６参照）の大きさと同様の幅でかつ、当接部７０１の短手方向と平行に中央部分が切り取られた形状で構成されている。
【００５３】
箱形の嵌合部７０３の側面７０６からは、当接部７０１の短手方向と平行に板状に延出する弾性を備える弾性係止片７０２が形成されている。弾性係止片７０２の断面形状は矩形であり、短手方向の一辺が嵌合部７０３の側面７０６と接合されて形成されている。弾性係止片７０２の長手方向の辺の長さは、図６に示す係合部６０２と止め部６０３との距離の長さＮと概ね同様であるが、長さＮよりも少し小さく形成されている。
【００５４】
弾性係止片７０２の嵌合部７０３と接合していない側の先端近傍には、弾性部７０２の短手方向と平行に突条によって構成された突部７０８が形成されている。弾性係止片７０２に形成された突部７０８の弾性係止片７０２先端側の面の形状は任意であり、ここでは、弾性係止片７０２の背面に対して下方垂直に平面となる形状とする。弾性係止片７０２に形成された突部７０８の嵌合部７０３側の面の形状は、突部７０８の先端部から嵌合部７０３方向に所定の傾きを有したテーパ状の斜面７０９が形成されている。なお、弾性係止片７０２に形成されている突部７０８の形状は、上述した突条の他に、たとえば突起によって形成されていてもよい。また、止め部６０３と弾性係止片７０２とによる係止固定は、たとえば凸部と凹部によって実現されたり、穴部と突起とによって実現されたりしてもよい。
【００５５】
つぎに、導光板ユニット４０２の取付動作および支持機構について説明する。はじめに、図４に示すように、導光板ユニット４０２をハウジング４０１に設けられた収容空間に嵌めて収容する。このとき、導光板ユニット４０２の辺４１０をフック４０５に係合させて収容する。次に、支持部材４０７を取付部４０６にスライド移動させることにより取り付けることによって導光板ユニット４０２の辺４１１側を支持する。なお、ここでは導光板ユニット４０２の支持機構について説明するが、導光板ユニット４０２内の導光板５０２（図５参照）についても同様に本発明の実施の形態にかかる支持機構を用いることができる。
【００５６】
図９は、導光板ユニットを完全固定した様子を示す拡大斜視図である。図９に示すように、図中矢印Ａの方向に支持部材４０７を導光板ユニット４０２の辺４１１に平行な方向からスライド移動させて、本体部７１０を取付部４０６に取り付ける。このとき、支持部材４０７の当接部７０１を導光板ユニット４０２に接するようにスライドさせ、取付部４０６の係合部６０２を支持部材４０７の本体部７１０に設けられた嵌合部７０３に係合させる。
【００５７】
支持部材４０７の弾性係止片７０２の突部７０８が取付部４０６の止め部６０３を乗り越えて係合部６０２側にスライドしたところで取付作業は、終了である。なお、突部７０８が止め部６０３上をスライドするとき、突部７０８に形成された斜面７０９が止め部６０３に形成されたテーパ部６０６に接触しながらスライドすることとなるため、円滑にスライド動作を行うことができる。
【００５８】
取付終了後は、図中矢印Ｂの方向への支持部材４０７の動きは、支持部材４０７の突部７０８が取付部４０６の止め部６０３に係止することによって、制限されている。また、支持部材４０７を取付部４０６から取り外す場合は、弾性部７０２の先端を導光板ユニット４０２が載置されている平面に対して垂直上方に上げて、支持部材４０７を図中矢印Ｂの方向へスライドさせる。なお、弾性部７０２を垂直上方に上げるときの利便性を考慮して、弾性部７０２の上面先端部につまみ部９０１を形成してもよい。
【００５９】
ところで、取付部４０６のＴ字状である係合部６０２や本体部７１０の嵌合部７０３が、たとえば熱可塑性樹脂等によって形成され、両者の外形寸法がほぼぴったりと一致するような場合、支持部材４０７の嵌合部７０３をＴ字状である係合部６０２に圧入して取り付けるようにすることもできる。このとき、支持部材４０７は、取付部４０６に完全に取り付けられた状態となるため、上述した止め部６０３や弾性係止片７０２を不要とすることができる。これにより、支持部材４０７を嵌合部７０３を有する本体部７１０と当接部７０１とによってのみ構成し、取付部４０６を係合部６０２によってのみ構成することができ、より簡易な構造で支持機構を実現することができる。
【００６０】
以上説明した本発明の実施の形態にかかる導光板ユニット支持機構によれば、導光板ユニット４０２が装着された平面に平行な方向から支持部材４０７をスライドさせて取付部４０６に取り付けることによって、導光板ユニット４０２を安定的にハウジング４０１に支持固定することができる。このため、ハウジング４０１に設けられた収容空間の周辺の形状にあわせて支持部材４０７をスライドさせて取り付けることができるとともに、収容空間の周辺における支持部材４０７を取り付けるための高さ方向のスペースが不要となり、取付作業等の種々の制約を緩和できる。これにより、ハウジング４０１内のスペースの省スペース化を図ることができる。
【００６１】
また、簡略な作業で導光板ユニット４０２をハウジング４０１に固定できるため、導光板ユニット４０２をハウジング４０２に固定するためのハウジング４０２や導光板５０２に煩雑な処理を施す作業が不要となり、作業工程を少なくすることができる。さらに、導光板ユニット４０２をハウジング４０１に固定するための部品点数を削減することもできる。これら、作業工程の削減や部品点数の削減によって、製造コストの削減を実現できる。
【００６２】
また、螺子止め等によって支持部材４０７を取付部４０６に固定する場合に比べ、雌螺子部をハウジング４０１に設ける必要がないため、ハウジング４０１が設けられた平面に対して垂直上方への体格の増大を防ぐことができる。
【図面の簡単な説明】
【００６３】
【図１】この発明の実施の形態にかかる複合機の外観を示す斜視図。
【図２】図１に示す複合機の側断面図。
【図３】ＡＳＦユニットおよび印刷機構部の側断面図。
【図４】原稿カバーの外蓋を外した状態を示す外観斜視図。
【図５】導光板ユニットを示す斜視図。
【図６】取付部を拡大して示す斜視図。
【図７】支持部材の正面側を拡大して示す斜視図。
【図８】支持部材の背面側を拡大して示す斜視図。
【図９】導光板ユニットを完全固定した様子を示す拡大斜視図。
【図１０】従来の支持部材を示した斜視図。
【符号の説明】
【００６４】
１１２  原稿カバー、４０１  ハウジング、４０２  導光板ユニット、４０６  取付部、４０７  支持部材、６０２  係合部、７０１  当接部、７０２  弾性係止片、７０３  嵌合部
【図１】
2007080718.tif 000003
【図２】
2007080718.tif 000004
【図３】
2007080718.tif 000005
【図４】
2007080718.tif 000006
【図５】
2007080718.tif 000007
【図６】
2007080718.tif 000008
【図７】
2007080718.tif 000009
【図８】
2007080718.tif 000010
【図９】
2007080718.tif 000011
【図１０】
2007080718.tif 000012